(57)【要約】【課題】使用後に重ねても容易に分離ができるとともに、耐衝撃性を保持しつつ、収納作業効率の高いカートリッジ収納ケースを得ること。【解決手段】磁気テープ巻回リール２３が内設される扁平体状のカートリッジ２５を収納するカートリッジ収納ケース１００であって、複数のカートリッジ２５を厚さ方向に並置させてブロック状としたカートリッジ群３３を保持する区画室３１が、相互に係合する同一構造の上ケース２７及び下ケース２９を重ね合わせることで形成されるとともに、区画室３１の周囲を囲んで上ケース２７と下ケース２９との係合方向に平行なリブ４３が形成され、リブ４３に、上ケース２７及び下ケース２９の食い込み防止手段４１を設けた。【選択図】図１
2007204090.tif 000002
【特許請求の範囲】
【請求項１】
磁気テープ巻回リールが内設される扁平体状のカートリッジを収納するカートリッジ収納ケースであって、
複数の前記カートリッジを厚さ方向に並置させてブロック状としたカートリッジ群を保持する少なくとも１つの区画室と、
相互に係合して前記区画室を形成する同一構造で前記係合部から離れる方向へのテーパー形状を備える上ケース及び下ケースと、
前記ケースの縁部範囲内の対角対向位置の一部で異なる形状とした食い込み防止手段を備えるカートリッジ収納ケース。
【請求項２】
前記食い込み防止手段が、前記ケースの前記縁部範囲を含む外側面から突出形成されている緩衝リブの一部である請求項１記載のカートリッジ収納ケース。
【請求項３】
前記上ケースと前記下ケースのそれぞれが、可塑性樹脂の一体成形品からなること請求項１又は請求項２記載のカートリッジ収納ケース。
【請求項４】
前記可塑性樹脂が、ポリエチレンテレフタレート、ポリプロピレン、ポリスチレンのいずれかを含む請求項３記載のカートリッジ収納ケース。
【請求項５】
前記可塑性樹脂が、透光性を有する請求項３又は請求項４記載のカートリッジ収納ケース。
【請求項６】
０．５〜２．０ｍｍの厚みを有する前記可塑性樹脂のシートを延伸加工して形成した請求項３〜請求項５のいずれかに１項記載のカートリッジ収納ケース。
【発明の詳細な説明】
【技術分野】
【０００１】
本発明は、磁気テープ巻回リールが内設される扁平体状のカートリッジを収納するカートリッジ収納ケースに関し、特に、収納されたカートリッジに対する耐衝撃性を高め、カートリッジの収納作業効率を高める改良技術に関する。
【背景技術】
【０００２】
従来、ワンリール型の磁気記録テープカートリッジを集積包装する場合、図７に示すように、各カートリッジ１を１巻単位でケース３に収納し、そのケース３を複数個毎に段ボール箱５に詰めて緩衝性を保持していた。
しかし、この集積包装の場合、カートリッジ１が段ボール箱５内に収納されるため、カートリッジ１の有無や種別等を確認するためには段ボール箱５を開封する必要があり、利便性に問題があった。また、段ボール詰めでは浸水時に濡れてしまい、段ボール箱５が壊れてしまうという問題もあった。
【０００３】
このようなことから、水に濡れてもケース強度に支障を来さず、中身の見える透明のプラスチックでカートリッジ１を集積包装する例えば図８に示すケース７が非特許文献１に開示され、市場に提供されるようになった。
【非特許文献１】ＵＴＯ−Ｕｌｔｒｉｕｍ  Ｌ−ｐａｃｋ、［online］、ＴＤＫ株式会社、［平成１７年１１月１４日検索］、インターネット＜URL:http://www.tdk.com/professional/lto/ltopack.html＞
【特許文献１】特開２００３−２８５４２４号公報
【発明の開示】
【発明が解決しようとする課題】
【０００４】
上記非特許文献１記載のケース７においては、カートリッジ１の収納前やカートリッジ１を取り出した後で、複数の空ケース７のみとなるが、これらを纏めて取り扱う場合に、積み重ねるのが一般的である。ところが、カートリッジ１の収納空間９が一つ一つで区画され、カートリッジ１の保持を確実にするためにも、カートリッジ１の外形に対応した収納空間形状となり、ケース７の底部と縁部とがほぼ同サイズとなるため、ケース７を重ねると上の物は滑り落ちしてまうという問題がある。
また、上述のように、収納空間９が一つ一つで区画されているため、収納面積（すなわち、ケース７の上面開口面積）の全体が個々の収納空間９によって等分離される。このため、最端部のケース部位１３，１５では、カートリッジ１の略全数の荷重が集中し、耐衝撃性に乏しくなり、落下時における衝撃吸収能力が低くなるという問題があった。
本発明は上記状況に鑑みてなされたもので、ケースを容易に積み重ねかつ分離ができるとともに、耐衝撃性を保持しつつ、収納作業効率の高いカートリッジ収納ケースを得ることを目的とする。
【課題を解決するための手段】
【０００５】
本発明に係る上記課題は、下記構成により達成される。
（１）磁気テープ巻回リールが内設される扁平体状のカートリッジを収納するカートリッジ収納ケースであって、複数の前記カートリッジを厚さ方向に並置させてブロック状としたカートリッジ群を保持する少なくとも１つの区画室と、相互に係合して前記区画室を形成する同一構造で前記係合部から離れる方向へのテーパー形状を備える上ケース及び下ケースと、前記ケースの縁部範囲内の対角対向位置の一部で異なる形状とした食い込み防止手段を備えるカートリッジ収納ケース。
【０００６】
このカートリッジ収納ケースによれば、複数のカートリッジがブロック状に纏めて収納される分、同一の収納面積で複数のカートリッジが分散収納される場合に比べ、収納に寄与しない余剰面積が確保可能となり、この余剰面積部分が衝撃吸収部（所謂クラッシャブルゾーン）として利用可能となる。また、従来のように、複数のカートリッジを個々に収納する必要がなくなり、厚さ方向に重ねて保持した複数のカートリッジを纏めて区画室に納めることが可能となる。加えて、同一構造の上ケース及び下ケースがその係合部から離れる方向へのテーパー形状を余剰部分に備えることで、空の状態で重ねた場合に、このテーパー形状によって各ケースが順に嵌り込んで、コンパクトに重ねることができ、収納及び移動が非常に容易となる。更に、ケースの縁部範囲内の対角対向位置の一部で異なる形状とした食い込み防止手段により、積み重ねた状態のケースを一つずつ分離する場合に、各ケースが食い込み過ぎることなく保持されているために、分離を容易に行うことができる。
【０００７】
（２）前記食い込み防止手段が、前記ケースの前記縁部範囲を含む外側面から突出形成されている緩衝リブの一部である上記（１）記載のカートリッジ収納ケース。
【０００８】
このカートリッジ収納ケースによれば、ケースの縁部範囲を含む外側面から突出形成されている緩衝リブを配置し、対角対向位置の緩衝リブが異なる形状とすることで、衝撃吸収をより確実に行い、尚かつ、積み重ねた状態のケースを一つずつ分離する場合に、各ケースが食い込み過ぎることなく保持され、分離を容易に行うことができる。
【０００９】
（３）前記上ケースと前記下ケースのそれぞれが、可塑性樹脂の一体成形品からなる上記（１）又は（２）記載のカートリッジ収納ケース。
【００１０】
このカートリッジ収納ケースによれば、比較的入手の容易な材料を用いて、高精度な上ケース、下ケースが容易かつ安価に量産可能となる。
【００１１】
（４）前記可塑性樹脂が、ポリエチレンテレフタレート、ポリプロピレン、ポリスチレンのいずれかを含む（３）記載のカートリッジ収納ケース。
【００１２】
このカートリッジ収納ケースによれば、可塑性樹脂が、ポリエチレンテレフタレート、ポリプロピレン、ポリスチレンのいずれかとなることで、材料の容易な入手が可能となるとともに、容易かつ安価な真空成型が可能となる。
【００１３】
（５）前記可塑性樹脂が、透光性を有する（３）又は（４）記載のカートリッジ収納ケース。
【００１４】
このカートリッジ収納ケースによれば、上ケースと下ケースとが係合され、区画室が密閉状態となった場合においても、区画室内に収納されるカートリッジが外部より視認可能となり、密閉区画室内のカートリッジ収納状況が容易に把握可能となる。
【００１５】
（６）０．５〜２．０ｍｍの厚みを有する前記可塑性樹脂のシートを延伸加工して形成した（３）項〜（５）項のいずれかに１項記載のカートリッジ収納ケース。
【００１６】
このカートリッジ収納ケースによれば、厚みが０．５〜２．０ｍｍの可塑性樹脂のシートを延伸加工して形成することで、複数のカートリッジ群を収納する区画室の最低構造強度が経済的に確保されるとともに、ケース全体の重量も最低強度を満足しつつ最小とすることができる。また、上記厚さで形成されることで、外力が加えられた際の適度な変形が可能となり、カートリッジに対する衝撃吸収作用を最適に確保することが可能となる。つまり、これより薄いと、変形が容易となり過ぎ、衝撃吸収効果が低下する。また、これより厚いと、変形し難くなり、衝撃力がカートリッジに直接伝達されてしまうことになる。本構成では、可塑性樹脂のシート厚みが上記厚さに設定されることで、最適な衝撃吸収部（クラッシャブルゾーン）の形成が可能となる。
【発明の効果】
【００１７】
本発明に係るカートリッジ収納ケースによれば、カートリッジの収納前やカートリッジを取り出した後に、上ケースと下ケースとを積み重ね合わせ、更には、一つずつ分離する場合に、ある程度嵌り込んで収納や移動の取り扱いを容易にすると共に、食い込みを適度に止めることで、両ケースを容易に分離することができる。また、複数のカートリッジを厚さ方向に並置させてブロック状としたカートリッジ群を保持する区画室を形成したので、複数のカートリッジをブロック状に纏めた分、同一の収納面積で複数のカートリッジを分散収納する場合に比べ、収納に寄与しない余剰面積を確保することができる。そして、この余剰面積部分を衝撃吸収部（所謂クラッシャブルゾーン）として利用することにより、ケース落下時等の衝撃を吸収し、カートリッジに対する耐衝撃性を向上させることができる。また、従来のように、複数のカートリッジを個々に収納する必要がないので、厚さ方向に重ねて保持した複数のカートリッジを纏めて区画室に納めることができ、短時間に効率の良い収納が可能となり、収納作業効率を大幅に向上させることができる。
【発明を実施するための最良の形態】
【００１８】
以下、本発明に係るカートリッジ収納ケースの好適な実施の形態について、図面を参照して詳細に説明する。
図１は本発明に係るカートリッジ収納ケースの上ケースと下ケースとの分離された分解斜視図、図２は図１に示した下ケースの平面図、図３は図１に示したカートリッジ収納ケースを使用後に重ね合わせる際の上ケースと下ケースとの正面図、図４は図１に示したカートリッジ収納ケースを使用後に重ね合わせる際の上ケースと下ケースとの背面図、図５は図３に示した上ケースと下ケースとの重ね合わせた後の平面図、図６は図４に示した上ケースと下ケースとの重ね合わせた後の背面図である。
【００１９】
本実施の形態に係るカートリッジ収納ケース（以下、単に「収納ケース」とも称す。）１００は、磁気テープ２１を巻回した磁気テープ巻回リール２３が内設される扁平体状のカートリッジ２５を収納する場合に好適に用いることができる。
【００２０】
カートリッジ２５は、磁気テープ巻回リール２３を、軸線が厚さ方向となる向きで内設している。本実施の形態では、カートリッジ２５が正方形の扁平体である場合を例に説明するが、カートリッジ２５は、この他、矩形状の扁平体状であってもよい。
【００２１】
収納ケース１００は、同一構造の上ケース２７と、下ケース２９とを上下から重ね合わせて係合することにより、開閉可能となる。これら上ケース２７と下ケース２９とを係合することにより、その内部に複数の区画室３１が形成されるようになっている。本実施の形態では、４つの区画室３１が形成される。それぞれの区画室３１には、複数のカートリッジ２５を図１に示すように、厚さ方向に並置させてブロック状としたカートリッジ群３３を保持可能としている。なお、カートリッジ２５は、図１に示すように、強度の弱いテープ取り出し口を区画室３１の中央側になるように、テープ取り出し口を上にする向きで配置する。さらに好ましくは、テープ取り出し口を区画室３１毎で相互に向かい合わせる配置とするとよい。その場合には、テープ取り出し口が収納ケース１００の中央側に向けられて、ケース外方からの衝撃からテープ取り出し口を保護することができる。
【００２２】
本実施の形態では、１つの区画室３１が、５つのカートリッジ２５からなるカートリッジ群３３の体積と、略同一の収納容積を形成している。したがって、各区画室３１には、カートリッジ２５を無造作に詰め込んでも、個々のカートリッジ２５に対する仕切壁がないので、簡単に入れることができる。例えば、カートリッジ２５の２〜３個は纏めて掴んで詰め込むことができ、一つ一つ掴んで挿入する従来品とは、収納の作業効率が格段に向上されている。
【００２３】
各区画室３１は上ケース２７と下ケース２９との係合縁部分から離れる方向への若干のテーパー形状を備えている。カートリッジ２５の収納前やカートリッジ２５を取り出した後で、複数の空の上ケース２７と下ケース２９を積み重ねて纏めて取り扱う場合に、区画室３１のテーパー形状によって各ケースが順に嵌り込んで、コンパクトに重ねることができ、収納及び移動が非常に容易となる。
【００２４】
ここで、複数のカートリッジ２５が、ブロック状に纏めて収納される分、同一の収納面積で複数のカートリッジ２５が分散収納される場合に比べ、収納に寄与しない余剰面積が確保可能となる。収納ケース１００では、この余剰面積部分が衝撃吸収部（所謂クラッシャブルゾーン）として利用されている。
【００２５】
余剰面積部分の一部として、収納ケース１００の側面を構成する各区画室３１の外壁面には、区画室３１内に収納されるカートリッジ２５における厚さ方向に第１緩衝リブ３９が形成されている。本実施形態では、第１緩衝リブ３９は、各区画室３１毎にカートリッジ２５の厚さ方向に凸状に２個形成されている。更に、カートリッジ２５の厚さ方向に垂直の収納ケース１００の側面には第２緩衝リブ４３が形成されている。第２緩衝リブ４３においても、各区画室３１毎に凸状に２個形成させる。これらは、収納ケース１００が可撓性樹脂で成型されるときに同時に成型される。
【００２６】
各緩衝リブはその長手方向が上ケース２７と下ケース２９との係合縁部分から離れる方向への上記テーパー形状を与えられた突条形状であり、第１緩衝リブ３９は、外部から物体が区画室３１に衝突した場合に、カートリッジ２５の厚さ方向に衝撃が与えられると、自ら撓むことで、その衝撃を吸収することができる。また同様に、第２緩衝リブ４３は、外部から物体が区画室３１に衝突した場合に、カートリッジ２５の幅方向の衝撃が与えられると、自ら撓むことで、その衝撃を吸収することができる。つまり、第１緩衝リブ３９と第２緩衝リブ４３とによって、ケース外壁面とカートリッジ２５との間に空隙が形成されることとなり、その空間がクッション材となって耐衝撃性を高めるようになっている。
【００２７】
第２緩衝リブ４３は、例えば下ケース２９における縁部範囲に含まれ、その正面における内側深さが、中央の２個が浅い（第２緩衝リブ４３ａ）、両外側の２個が深い構成となっている。これらに対して対角位置である背面における内側深さが、中央の２個が深く、両外側の２個が浅い（第２緩衝リブ４３ｂ）構成となっている。そして、上ケース２７も下ケース２９と同様にして、背面における内側深さが、中央の２個が浅く、両外側の２個が深い構成である。これらに対する対角位置である正面における内側深さが、中央の２個が深く、両外側の２個が浅い構成となっている。これらの第２緩衝リブ４３において、内側深さの浅い部位が食い込み防止手段であるストッパ４１となる。
【００２８】
そして、カートリッジ２５の収納前やカートリッジ２５を取り出した後で、複数の空の上ケース１７と下ケース２９とが重ね合わされる際に、ストッパ４１を有して浅い構成の第２緩衝リブ４３ａ，４３ｂにストッパ４１の無い第２緩衝リブ４３が挿入されてきた場合に、ストッパ４１の無い第２緩衝リブ４３がストッパ４１に衝突することで、ストッパ４１の無い第２緩衝リブ４３の挿入をその位置で阻止するように機能する。
このように、ケース２７，２９の縁部範囲内の対角対向位置の一部（第２緩衝リブ）で異なる形状（ストッパ４１）とした食い込み防止手段により、積み重ねた状態のケース２７，２９を一つずつ分離する場合に、各ケース２７，２９が食い込み過ぎることなく保持されているために、分離を容易に行うことができる。
【００２９】
また、各区画室３１のコーナー部には、カートリッジ２５の稜線部を包囲するような第３緩衝リブ４５が形成されている。第３緩衝リブ４５は、第１緩衝リブ３９と第２緩衝リブ４３との端部にそれぞれ配置されているために、カートリッジ２５を収納した状態で、収納ケース１００を落下させた場合等の、カートリッジ稜線部の変形を効果的に阻止することができる。
【００３０】
ここで、複数のカートリッジ２５がブロック状に纏めて収納される分余剰部分の一部として、上ケース２７、下ケース２９の磁気テープ巻回リール２３の軸線方向両端側には、衝撃吸収の機能をもつフランジ３５，３５が横方向に延設されている。それぞれのフランジ３５には、中央部を角孔形状に切除した取手孔３７が形成されている。つまり、上ケース２７と下ケース２９とが係合された収納ケース１００は、いずれか一方の取手孔３７に手（指）を入れて、他方のフランジ３５が下方となるようにして持ち運びすることが可能となっているとともに持ち上げることが可能になっている。これとは異なり、収納ケース１００は、両手で両側の取手孔３７，３７を掴んで、水平方向に持ち運んだり垂直方向に持ち上げたりすることもできる。
【００３１】
上記のように、一方の取手孔３７を片手で掴み、他方のフランジ３５が下方となるようにして収納ケース１００を持ち運ぶ際、仮に収納ケース１００が手から滑り落ちると、収納ケース１００は、下方のフランジ３５が床面や地面に衝突する。この際、衝撃吸収部となるフランジ３５は、収納ケース１００及びカートリッジ群３３の荷重により変形し、その変形によって衝撃エネルギーが吸収されて、収納されたカートリッジ２５に対する衝撃が穏和されるようになっている。
【００３２】
一般に、カートリッジ２５は、リール軸方向に加わる衝撃に弱い。これは、巻きテープの端面にはテープ飛び出しが発生している場合があり、このテープ飛び出しによりテープ端がリールフランジに当たることで、テープが潰れたり折れ曲がる等すると、磁気テープの円滑な巻き取り繰り出しが阻害され、最悪の場合、読み書きができなくなってしまうためである。本実施の形態では、カートリッジ２５のリール軸線方向に、衝撃吸収部となる第１緩衝リブ３９およびフランジ３５を配設することにより、衝撃に対して脆弱なリール軸線方向の耐衝撃性が向上されるようになっている。
【００３３】
収納ケース１００は、相互に係合する凸部（凸条）４７と凹部（凹溝）４９とを備えた同一構造の上ケース２７と下ケース２９からなる。本実施の形態では、４つの区画室３１を包囲する周囲に、図２のケースセンター線５１を対称に、上下に凸条４７と凹溝４９とが形成されている。すなわち、上ケース２７と下ケース２９とは、ケースセンター線５１を挟み、一方にコ字状の凸条４７が連続して形成され、他方にコ字状の凹溝４９が連続して形成されている。
【００３４】
同一構造である上ケース２７と下ケース２９とが上下に組み合わされたときに、凸条４７が凹溝４９に入り込み、双方が係合する。これにより、区画室３１が密閉されて耐水性を得ることができ、水に浮くことも可能である。また、ほこり、湿気、跳ねかけられた水、及び他の有害物質に対してカートリッジ２５を保護することができる。つまり、一つのケースが、蓋としても、身としても使用されることとなる。このことから一つの金型により形成した一種類のケースを用いて、凸条４７、凹溝４９により開閉が可能となる区画室３１の形成される収納ケース１００が構成されている。
【００３５】
また、各区画室３１同士の間には、仕切り部５３が設けられている。仕切り部５３は、衝撃に対する変形が容易となるようにその形状及び後述の厚さで形成されている。本実地の形態では、４方に配設された区画室３１を４つに仕切るように十字方向の仕切り部５３が形成されている。更に、上ケース２７と下ケース２９との最外周には、周縁を互いに湾曲形状に僅かに折り曲げた段曲げ部５５が形成されている。段曲げ部５５は、上記の凸条４７と凹溝４９と同様に、ケースセンター線５１を対称にいずれか一方に形成されている。これにより、上ケース２７と下ケース２９とを重ね合わせた際に、段曲げ部５５が他方の周縁に被さり、防塵性及び防水性が向上されるようになっている。
【００３６】
その上、各区画室３１の外部底面部には、相互に遊嵌可能な大小の四角枠部５７，５９が膨出されている。これらにより、収納ケース１００が上下方向に積載されても、上側の収納ケース１００下面の四角枠部５７，５９が、下側の収納ケース１００上面の四角枠部５７，５９に嵌合して、相対的な横ずれが規制されて段積み時の崩れ防止が図られるようになっている。
【００３７】
上ケース２７、下ケース２９のそれぞれは、可塑性樹脂の一体成形品からなる。このため、比較的取り扱い性が容易な材料を用いて、カートリッジ２５を確実に保護する堅牢性と、適宜な衝撃吸収性を備えた上ケース２７、下ケース２９が容易かつ安価に量産可能となっている。
【００３８】
この可塑性樹脂は、例えばポリエチレンテレフタレート、ポリプロピレン、ポリスチレンのいずれかを含むものとすることができる。可塑性樹脂が、ポロエチレンテレフタレート、ポリプロピレン、ポリスチレンのいずれかとなることで、材料の入手が容易となるとともに、廃品となった後の回収・再利用が可能で、容易かつ安価な真空成形が可能となる。
【００３９】
また、可塑性樹脂は、透光性を有するものであることが好ましい。これにより、上ケース２７、下ケース２９が係合され、区画室３１が密閉状態となった場合においても、区画室３１内に収納されるカートリッジ２５が外部より視認可能となり、密閉された区画室３１内のカートリッジ２５における収納状況が容易に把握可能となる。
【００４０】
また、厚みが０．５〜２．０ｍｍの可塑性樹脂のシートを用いて、延伸加工により形成することで、複数のカートリッジ群３３を収納する区画室３１の最低構造強度が経済的に確保されるとともに、ケース全体の重量も最低強度を満足しつつ最小とすることができる。また、上記厚さで形成されることで、外力が加えられた際の適度な変形が可能となり、カートリッジ２５に対する衝撃吸収作用を最適に確保することが可能となる。つまり、これより薄いと、変形が容易となり過ぎ、衝撃吸収効果が低下する。また、これより厚いと、変形し難くなり、衝撃力がカートリッジ２５に直接伝達されてしまうことになる。本構成では、可塑性樹脂のシート厚みが上記厚さに設定されることで、最適な衝撃吸収部（クラッシャブルゾーン）の形成が可能となる。
【００４１】
ところで、このような収納ケース１００は、外形状と略同一の内形状となった不図示の段ボール箱に収容される。そして、段ボール箱が開封されてから収納ケース１００を取り出すに際し、フランジ３５に形成されている取手孔３７に指等を挿入することで容易に引き出しを行うことができる。また、段ボール箱からの取り出し性をさらに良好とするため、フランジ３５の両側には略４５度の傾斜辺となった面取り部６１がそれぞれ形成されている。これにより、段ボール箱に収容された収納ケース１００は、段ボール箱内壁面との間に、この面取り部６１による三角穴が形成されるために、手指の挿入による容易な取り出しを行えるようになっている。
【００４２】
このような収納ケース１００は、カートリッジ２５の収納前又は取り出し後の空の状態で、上ケース２７が図１に示すように１８０度上下を回動されたうえで、下ケースの内側に重ね合わされる。
【００４３】
図３に示すように、重ね合わされる前に、回動された上ケース２７は、正面側の第２緩衝リブ４３が、中央の２個が深く、両外側の２個（第２緩衝リブ４３ｂ）がストッパ４１を有して浅い。一方、回動されない下ケース２９は、正面側の第２緩衝リブ４３が、中央の２個（第２緩衝リブ４３ａ）がストッパ４１を有して浅く、両外側の２個が深い。
【００４４】
図４に示すように、重ね合わされる前に、回動された上ケース２７は、背面側の第２緩衝リブ４３が、中央の２個（第２緩衝リブ４３ａ）がストッパ４１を有して浅く、両外側の２個が深い。一方、回動されない下ケース２９は、背面側の第２緩衝リブ４３が、中央の２個が深く、両外側の２個（第２緩衝リブ４３ｂ）がストッパ４１を有して浅い。
【００４５】
図５に示すように、上ケース２７が下ケース２９の内側に重ね合わされると、上ケース２７の第２緩衝リブ４３が下ケース２９の第２緩衝リブ４３に挿入されていき、それらの正面において、上ケース２７の第２緩衝リブ４３における中央の２個の先端部が、下ケース２９の第２緩衝リブ４３における中央の２個（第２緩衝リブ４３ａ）のストッパ４１にそれぞれ衝突する。
【００４６】
図６に示すように、上ケース２７が下ケース２９の内側に重ね合わされると、上ケース２７の第２緩衝リブ４３が下ケース２９の第２緩衝リブ４３に挿入されていき、それらの背面において、上ケース２７の第２緩衝リブ４３における両外側の２個の先端部が、下ケース２９の第２緩衝リブ４３における両外側の２個（第２緩衝リブ４３ｂ）のストッパ４１にそれぞれ衝突する。これにより、上ケース２７は、第２緩衝リブ４３がストッパ４１に衝突する位置からの挿入を阻止されることで、下ケース２９に対して、両フランジ３６が離れた位置に保持される。その結果、使用後に重ね合わされた上ケース２７と下ケース２９とは、密着せずに、上下の両フランジ３５廻りに大きなスペースを確保でき、上ケース２７のフランジ３５を引き上げる等することで、下ケース２９から容易に分離を行うことができるものとなる。なお、上ケース２７と下ケース２９とは、上述したのと同様にして、複数個を順次重ね合わさせていけば、それぞれを一つずつ容易に分離することができる。
ここで、本実施形態では、食い込み防止手段として、第２緩衝リブ４３のストッパ４１を形成したが、各ケース２７，２９の縁部範囲でケース係合に影響を与えない部分であれば、このような対角対向位置に異形状を与えることができる。
【００４７】
以上のように、上記のカートリッジ収納ケース１００によれば、カートリッジ２５を取り出した使用後に、上ケース２７と下ケース２９とを重ね合わせてから、上ケース２７または下ケース２９を一つずつ分離する場合に、食い込んでいない両ケース２７，２９を容易に分離することができる。また、複数のカートリッジ２５を厚さ方向に並置させてブロック状としたカートリッジ群３３を保持する区画室３１を形成したので、複数のカートリッジ２５をブロック状に纏めた分、同一の収納面積で複数のカートリッジを分散収納する場合に比べ、収納に寄与しない余剰面積を確保することができる。そして、この余剰面積部分を衝撃吸収部（所謂クラッシャブルゾーン）として利用することにより、ケース落下時等の衝撃を吸収し、カートリッジ２５に対する耐衝撃性を向上させることができる。また、従来のように、複数のカートリッジを個々に収納する必要がないので、厚さ方向に重ねて保持した複数のカートリッジ２５を纏めて区画室に納めることができ、短時間に効率の良い収納が可能となり、収納作業効率を大幅に向上させることができる。
【図面の簡単な説明】
【００４８】
【図１】本発明に係るカートリッジ収納ケースの上ケースと下ケースとの分離された分解斜視図である。
【図２】図１に示した下ケースの平面図である。
【図３】図１に示したカートリッジ収納ケースを使用後に重ね合わせる際の上ケースと下ケースとの正面図である。
【図４】図１に示したカートリッジ収納ケースを使用後に重ね合わせる際の上ケースと下ケースとの背面図である。
【図５】図３に示した上ケースと下ケースとの重ね合わせた後の平面図である。
【図６】図４に示した上ケースと下ケースとの重ね合わせた後の背面図である。
【図７】従来の段ボール箱収納方式を表した説明図である。
【図８】従来の収納ケースを表した斜視図である。
【符号の説明】
【００４９】
２３  磁気テープ巻回リール
２５  カートリッジ
２７  上ケース
２９  下ケース
３１  区画室
３３  カートリッジ群
３９  第１緩衝リブ（緩衝リブ）
４１  ストッパ（食い込み防止手段）
５３  仕切り部
１００  カートリッジ収納ケース
【図１】
2007204090.tif 000003
【図２】
2007204090.tif 000004
【図３】
2007204090.tif 000005
【図４】
2007204090.tif 000006
【図５】
2007204090.tif 000007
【図６】
2007204090.tif 000008
【図７】
2007204090.tif 000009
【図８】
2007204090.tif 000010